(57)【要約】【課題】本考案は、使い勝手が良くかつ長時間使用に伴う腕の疲労や痛みを軽減するのに役立つ机、特に好ましくはパソコン使用時に好適な机を提供する。【解決手段】天板２を有する机であって、前記天板２の前縁部分２Ｘに、前に向かって下に傾く傾斜面６が設けられたことを特徴とする。該傾斜面６は、天板２にのびる使用者の腕Ａを広範囲に支持し、キーボードＫ等の操作性を高める。また、腕Ａと天板２との接触面積が増大するので、従来に比べて腕Ａに作用する圧力が小さくなり、ひいては使用者の腕の疲労や痛みが大幅に緩和される。【選択図】図４
0003132159.tif 000002
【実用新案登録請求の範囲】
【請求項１】
天板を有する机であって、前記天板の前縁部分に、前に向かって下に傾く傾斜面が設けられたことを特徴とする机。
【請求項２】
前記傾斜面の幅が２０〜１００mmである請求項１記載の机。
【請求項３】
前記傾斜面の幅が２０〜１００mmでありかつ該傾斜面の水平面に対する角度が１０〜３０度である請求項１記載の机。
【請求項４】
前記天板の後縁には、部分的に凹まされることにより天板の上に置かれた電気機器の電気コード配線用の切欠き部が設けられている請求項３記載の机。
【請求項５】
前記天板は、奥行き寸法が実施的に一定をなす基部と、該基部に連なりかつ前記基部よりも奥行き寸法が大きい側部とを含む請求項３記載の机。
【考案の詳細な説明】
【技術分野】
【０００１】
本考案は、使い勝手が良くかつ長時間使用に伴う使用者の腕の疲労を軽減するのに役立つ机、特に好ましくはパソコン使用時に好適な机に関する。
【背景技術】
【０００２】
読み書き又はパソコン等を使用する場合、各種の机が利用される。近年、パソコン等の普及が高まっており、しかも長時間の使用が増えつつある。例えば、パソコンを使用する場合、図５に示されるように、机の天板ｂの上に載置されたキーボードＫが使用者によって操作される。この際、使用者の腕Ａが天板ｂの前縁（使用者が存在する側の縁を言い、以下同じである。）の角部分ｃに長時間接触する。これは、使用者の腕Ａに疲労や痛みを与えるという問題がある。
【考案の開示】
【考案が解決しようとする課題】
【０００３】
本考案は、以上のような問題点に鑑み案出なされたもので、天板の前縁部分に、前に向かって下に傾く傾斜面を設けることを基本として、長時間使用した場合であっても使用者の疲労や痛みを軽減しうる机を提供することを主たる目的としている。
【課題を解決するための手段】
【０００４】
本発明のうち請求項１記載の発明は、天板を有する机であって、前記天板の前縁部分に、前に向かって下に傾く傾斜面が設けられたことを特徴とする。
【０００５】
また請求項２記載の発明は、前記傾斜面の幅が２０〜１００mmである請求項１記載の机である。
【０００６】
また請求項３記載の発明は、前記傾斜面の幅が２０〜１００mmでありかつ該傾斜面の水平面に対する角度が１０〜３０度である請求項１記載の机である。
【０００７】
また請求項４記載の発明は、前記天板の後縁には、部分的に凹まされることにより天板の上に置かれた電気機器の電気コード配線用の切欠き部が設けられている請求項３記載の机である。
【０００８】
また請求項５記載の発明は、前記天板は、奥行き寸法が実施的に一定をなす基部と、該基部に連なりかつ前記基部よりも奥行き寸法が大きい側部とを含む請求項３記載の机である。
【考案の効果】
【０００９】
請求項１記載の考案では、天板の前縁部分に、前に向かって下に傾く傾斜面が設けられる。該傾斜面は、天板の上へとのびる使用者の腕を広範囲に支持することができる。従って、使用者の腕の位置が安定し、ひいては天板の上に置かれたキーボード等の操作性が向上する。また、腕と天板との接触面積が増大するので、従来に比べて腕に作用する接触圧力が小さくなり、ひいては使用者の腕の疲労や痛みが大幅に緩和される。
【００１０】
また、請求項２又は３記載の考案のように、傾斜面の幅や角度を限定した場合には、前記作用効果をより確実に発揮させることができる。
【００１１】
また、請求項４記載の考案では、天板の後縁を壁面に密着させた場合でも、天板の上に置かれた電気機器の電気コードを配線用の切欠き部に通すことにより、前記電気コードが天板と壁との間で強く挟むことなく配線できる。従って、電気コードの断線を防止しつつ見映えの良い配線を可能とする。
【００１２】
また、請求項５記載の考案では、例えば天板の基部側にパソコン等を載置して作業を行うとともに、広い側部側は書類などを載置するためのサイドテーブルとして使用することができる。従って、使い勝手が向上する。また、天板の後縁が実質的に直線状でのびるため、該天板の後縁を壁に密着させて利用できる。従って、机の後側のスペースを無駄にすることがない。
【考案を実施するための最良の形態】
【００１３】
以下、本考案の実施形態が図面に基づき説明される。図１には、本考案の実施形態に係る机１の斜視図が示される。机１は、板状の天板２と、この天板２を水平に支持する脚部３とを含んで構成され、本実施形態では、電気機器ＰＣとしてのパソコンを使用する際に好適ないわゆるパソコンデスクの例が示されている。
【００１４】
前記天板２は、使用者が位置する側の前縁２ａと、その反対側である後縁２ｂと、これらの間を継ぐ一対の横縁２ｃ及び２ｄとで区画される。本実施形態の天板２は、ほぼ横長矩形状で形成される。
【００１５】
図２には、机１の平面図が示される。好ましい実施形態として、天板２の後縁２ｂと、左右の横縁２ｃ及び２ｄとは、実質的に直線状で形成される。天板２の後縁２ｂや横縁２ｃ及び２ｄを直線状とすることにより、机１は、該天板２を壁面や出隅コーナ部に密着させて利用できる。従って、机の周囲のスペースを無駄にすることがない。
【００１６】
他方、天板２の前縁２ａは、実質的に直線でのびる直線部２ａ１と、該直線部２ａ１に連なりかつ滑らかな曲線でのびる曲線部２ａ２とを含むことが望ましい。より具体的に述べると、曲線部２ａ２は、直線部２ａ１から離れるに従い後縁２ｂから遠ざかる向きに湾曲させるのが望ましい。
【００１７】
これにより、天板２は、前縁２ａと後縁２ｂとの間の長さである奥行き寸法Ｌ１が実質的に一定をなす基部４と、該基部４に連なりかつ前記基部４よりも奥行き寸法Ｌ２が大きい側部５とを含んで構成される。このような天板２は、基部４側にパソコン等を載置して作業する空間を提供しうる一方、大きな面積を有する側部５側は、書類などを載置するためのサイドテーブル的に利用できる。従って、コンパクト化を図りつつ使い勝手が向上する。
【００１８】
天板２を形成する材料は特に限定されないが、例えば合板、パーティクルボード、インシュレーションボード、ＭＤＦ（中密度繊維板）などの木質加工板材が好適である。これらは、天板としての強度を確保しつつ軽量かつ安価な点で特に望ましい。また、天板２の少なくとも上面には、例えばポリウレタン樹脂等によって保護皮膜が形成されるのが望まし。とりわけ鏡面仕上げが施されることにより、天板２の意匠性が大幅に向上する。
【００１９】
図３には、図２のＡ−Ａ拡大断面図が示される。図１及び図３から明らかなように、天板２の前縁部分２Ｘ（これは、前縁２ａを含む天板の前側部分のある領域を指す。）には、前に向かって下に傾く傾斜面６が設けられる。これにより、天板２の上面８は、前記傾斜面６と、この傾斜面６に連なって後縁２ｂ側にのびるとともに実質的に水平をなす水平面７とで構成される。
【００２０】
図４には、天板２の上に置かれたパソコンのキーボードＫを使用者が操作している状態を示す。前記傾斜面６は、天板２の上のキーボードＫにのびる使用者の腕Ａを広範囲に亘って支持することができる。これにより、キーボードＫ等の操作性が向上する。また、腕Ａと天板２との接触が面接触となり、ひいては接触面積が増大するので、従来のように天板のコーナ部と線接触（多少の面取りはあったかもしれないが、実質的な線接触である）していた場合に比べて、腕Ａに作用する圧力が小さくなる。従って、使用者の腕Ａの疲労や痛みが大幅に緩和される。なお、図示していないが、マウスの操作時は勿論、書物の読み書き時においても上記と同様の作用効果が得られるのは言うまでもない。
【００２１】
ここで、上述の作用効果をより効果的に発揮させるためには、前記傾斜面６の幅Ｗは、好ましくは２０mm以上、より好ましくは２５mm以上、さらに好ましくは３０mm以上が望ましい。前記幅Ｗが２０mm未満の場合、使用者の腕Ａに作用する圧力を軽減する効果が十分に得られないおそれがある。他方、前記幅Ｗが大きすぎると、水平面７の位置が後方に寄るため、キーボードＫを手前側に置くことができなくなる他、天板２の前縁２ａの厚さが過度に小さくなったり又は天板２の厚さが過度に大きくなるおそれがある。このような観点より、前記幅Ｗは、好ましくは１００mm以下、より好ましくは９０mm以下、さらに好ましくは８０mm以下、特に好ましくは６０mm以下が望ましい。
【００２２】
同様の観点より、断面における前記傾斜面６の水平面に対する角度θは、好ましくは１０度以上、より好ましくは１５度以上が望ましい。前記角度θが１０度未満になると、傾斜面６と水平面７との差が小さく、ひいては使用者の腕Ａに作用する圧力を軽減する効果が十分に得られないおそれがある。他方、前記角度θが大きすぎても同様の不具合がある。このような観点より、前記角度θは、好ましくは３０度以下、より好ましくは２５度以下が望ましい。なお、傾斜面６と前縁２ａとの間、及び、傾斜面６と水平面７との間は、それぞれ曲率半径が３〜１０mm程度の小円弧を介して滑らかに接続されるのが望ましい。
【００２３】
本実施形態の傾斜面６は、図３に示される断面において、実質的に単一の平面で形成されるが、角度θが異なる複数の平面（図示省略）で形成されても良い。また、平面のみならず、曲面であっても良い。この場合、その曲率半径が小さくなると、上述の作用が得られなくなるおそれがある。このような観点より、傾斜面６を円弧で形成する場合には、その曲率半径は、好ましくは１００mm以上、より好ましくは２００mm以上が望ましい。
【００２４】
さらに、本実施形態の傾斜面６は、天板の前縁２ａの実質的全域に亘って形成されているが、その一部だけに設けられても良いのは言うまでもない。
【００２５】
また、本実施形態の天板２の後縁２ｂには、部分的に凹まされることにより天板２の上に置かれた電気機器ＰＣの電気コード配線用の切欠き部９が設けられる。該切欠き部９の凹み量Ｓは、特に限定されないが、好ましくは５〜２０mm程度が望ましい。なお、切欠き部９の凹み量Ｓは十分に小さいので、該切欠き部９が設けられている後縁２Ｂは直線状でのびるものと解して差し支えない。
【００２６】
配線用の切欠き部９は、図１に示されるように、天板２の後縁２ｂを壁１０に密着させた場合でも、電気コード１１を壁１０と天板２との間で強く挟むことなく、余裕を持って下方に導くことができ、例えばコンセント差込口まですっきりと配線できる。従って、電気コード１１の断線などを確実に防止できる。なお、本明細書で言う「電気コード」には、コンセントに差し込まれるケーブルに限定されるものではなく、ＬＡＮケーブル、ビデオケーブル及び／又はＵＳＢケーブルなどの電気又は光信号を送受信しうる全てのコードを包含するものとする。また、電気機器ＰＣもパソコンに限定されるものではない。
【００２７】
前記脚部３は、天板２の下面かつその四隅に固着されて垂下する４本の棒状の脚部材３ａないし３ｄから構成される。床面の凹凸などを吸収して天板２を安定してかつ水平に支持するために、各脚部材３ａないし３ｄの下端部には、高さ調整用のアジャスタ１２などが設けられるのが望ましい。また、机の移動を容易とするために、脚部材３ａないし３ｄの下端部に、キャスター（図示省略）などが設けられても良い。
【００２８】
以上説明したが、本考案は、上記の具体的な実施形態に限定されるものではなく、種々変形して実施できる。例えば、上記実施形態の机１は、椅子を使用して利用されるものを示したが、床面に直接座った使用者が利用可能な高さに天板２が保持される低床式の机として構成されても良い。
【図面の簡単な説明】
【００２９】
【図１】本考案の机の使用状態を示す斜視図である。
【図２】本実施形態の机の平面図である。
【図３】そのＡ−Ａ拡大断面図である。
【図４】本考案の作用を説明する断面図である。
【図５】従来の机を説明する断面図である。
【符号の説明】
【００３０】
１  机
２  天板
２ａ  天板の前縁
２Ｘ  天板の前縁部分
６  傾斜面
９  配線用の切欠き部
【図１】
0003132159.tif 000003
【図２】
0003132159.tif 000004
【図３】
0003132159.tif 000005
【図４】
0003132159.tif 000006
【図５】
0003132159.tif 000007